(57)【要約】  ユーザ装置（１４）は、無線通信システム（１０）において用いられるよう構成される。ユーザ装置（１４）は、システム情報（１６）と、システム情報（１６）のバージョンを示す値タグ（１８）と、を受信するよう構成される。値タグ（１８）は有効期間（２０）に関連付けられ、システム情報（１６）のバージョンはその有効期間の間有効であるとみなされる。値タグ（１８）は複数の異なる可能な値タグのうちのひとつである。異なる可能な値タグのうちの少なくとも二つはそれぞれ異なる可能な有効期間に関連付けられる。【選択図】図１
2020511901.tif 000002
【特許請求の範囲】
【請求項１】
無線通信システム（１０）での用に供されるよう構成されたユーザ装置（１４）によって実行される方法であって、前記方法は、
システム情報（１６）と、前記システム情報（１６）のバージョンを示す値タグ（１８）と、を受信すること（２１０）であって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、受信することを含む方法。
【請求項２】
前記システム情報（１６）および前記値タグ（１８）の受信に応じて、前記システム情報（１６）の前記バージョンを格納すること（２２０）と、
前記システム情報（１６）の前記バージョンを格納してから前記有効期間（２０）が経過したか否かを判定することによって、格納された前記システム情報（１６）の前記バージョンが有効か無効かを判定すること（２３０）と、
前記判定にしたがい格納された前記システム情報（１６）の前記バージョンが有効か無効かに応じて、前記システム情報（１６）を選択的に再取得すること（２４０）と、をさらに含む請求項１に記載の方法。
【請求項３】
前記ユーザ装置（１４）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされる請求項１または２に記載の方法。
【請求項４】
無線通信システム（１０）での用に供されるよう構成された無線ネットワークノード（１２）によって実行される方法であって、前記方法は、
システム情報（１６）と、前記システム情報（１６）のバージョンを示す値タグ（１８）と、を送信すること（１１０）であって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、送信することを含む方法。
【請求項５】
前記異なる可能な値タグのなかから、前記システム情報（１６）がどれくらいの頻度で更新されるべきかに基づいて、前記値タグ（１８）を選択することをさらに含む請求項４に記載の方法。
【請求項６】
前記無線ネットワークノード（１２）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされる請求項４または５に記載の方法。
【請求項７】
少なくとも二つの異なる可能な値タグは同じ可能な有効期間に関連付けられる請求項１から６のいずれか一項に記載の方法。
【請求項８】
前記システム情報（１６）は、最小システム情報またはマスタ情報ブロックである請求項１から７のいずれか一項に記載の方法。
【請求項９】
前記システム情報（１６）は、最小システム情報以外のシステム情報またはシステム情報ブロックである請求項１から７のいずれか一項に記載の方法。
【請求項１０】
前記システム情報（１６）は、システム情報メッセージである請求項１から７のいずれか一項に記載の方法。
【請求項１１】
無線通信システム（１０）において用いられるよう構成されたユーザ装置（１４）であって、前記ユーザ装置（１４）は、
システム情報（１６）と、前記システム情報（１６）のバージョンを示す値タグ（１８）と、を受信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、受信することを行うよう構成されるユーザ装置（１４）。
【請求項１２】
請求項２、３および７から１０のいずれか一項に記載の方法を実行するよう構成された請求項１１に記載のユーザ装置。
【請求項１３】
無線通信システム（１０）において用いられるよう構成されたユーザ装置（１４）であって、前記ユーザ装置（１４）は、
無線回路（５２０）と、
システム情報（１６）と、前記システム情報（１６）のバージョンを示す値タグ（１８）と、を前記無線回路を介して受信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、受信することを行うよう構成された処理回路（５１０）と、を備えるユーザ装置（１４）。
【請求項１４】
請求項２、３および７から１０のいずれか一項に記載の方法を実行するよう構成された請求項１３に記載のユーザ装置。
【請求項１５】
無線通信システム（１０）において用いられるよう構成された無線ネットワークノード（１２）であって、前記無線ネットワークノード（１２）は、
システム情報（１６）と、前記システム情報（１６）のバージョンを示す値タグ（１８）と、を送信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、送信することを行うよう構成される無線ネットワークノード（１２）。
【請求項１６】
請求項５から１０のいずれか一項に記載の方法を実行するよう構成される請求項１５に記載の無線ネットワークノード。
【請求項１７】
無線通信システム（１０）において用いられるよう構成された無線ネットワークノード（１２）であって、前記無線ネットワークノード（１２）は、
無線回路（４２０）と、
システム情報（１６）と、前記システム情報（１６）のバージョンを示す値タグ（１８）と、を前記無線回路を介して送信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、送信することを行うよう構成された処理回路（４１０）と、を備える無線ネットワークノード（１２）。
【請求項１８】
請求項５から１０のいずれか一項に記載の方法を実行するよう構成される請求項１７に記載の無線ネットワークノード。
【請求項１９】
インストラクションを備えるコンピュータプログラムであって、該インストラクションは無線通信システム（１０）において用いられるよう構成されたユーザ装置（１４）の少なくともひとつのプロセッサによって実行された場合、前記ユーザ装置（１４）に請求項１から３および７から１０のいずれか一項に記載の方法を実行させるコンピュータプログラム。
【請求項２０】
インストラクションを備えるコンピュータプログラムであって、該インストラクションは無線通信システム（１０）において用いられるよう構成された無線ネットワークノード（１２）の少なくともひとつのプロセッサによって実行された場合、前記無線ネットワークノード（１２）に請求項５から１０のいずれか一項に記載の方法を実行させるコンピュータプログラム。
【請求項２１】
請求項１９または２０に記載のコンピュータプログラムを含むキャリアであって、前記キャリアは電気信号、光学信号、無線信号、またはコンピュータ可読ストレージ媒体のうちのひとつであるキャリア。
【発明の詳細な説明】
【技術分野】
【０００１】
本願は主に無線通信システムに関し、特にそのような無線通信システムにおけるシステム情報の有効期間に関する。
【背景技術】
【０００２】
無線通信システムは、いわゆるシステム情報を無線通信デバイスに報知して、それらの装置がシステム内で動作するのを支援する。システム情報は例えば、ＰＬＭＮ（Ｐｕｂｌｉｃ  Ｌａｎｄ  Ｍｏｂｉｌｅ  Ｎｅｔｗｏｒｋ）ＩＤ、システム帯域幅などを含む、システムに関する一般的な情報を記述するパラメータを含むことができる。システム情報はまた、制御チャネルの割り当て、ページングチャネル情報、セル選択情報など、システム内の特定のセルに固有の情報を記述するパラメータを含むことができる。
【０００３】
システム情報は経時的に変化し得る。既知の手法は、システム情報を含むブロックまたはメッセージに値タグを埋め込むことによって、そのような変更についてデバイスに効果的に通知する。デバイスは、値タグをチェックするためにブロックまたはメッセージを読み取る。値タグが変更されている場合、デバイスはブロックまたはメッセージ内のシステム情報が変更されたと見なし、ブロックまたはメッセージ内のシステム情報の読取を継続する。値タグが変更されていない場合、デバイスはデバイスがブロックまたはメッセージからシステム情報を最後に読み取ってから少なくとも所定の有効期間が経過した場合にのみ、ブロックまたはメッセージ内のシステム情報を読み取る。
【０００４】
しかしながら、既知のアプローチは本質的に、システム情報が依然として無線通信デバイスによって読み取り可能であるようなシステム情報の変更の頻度に制限を課す。これは、システム情報が頻繁に変化するいくつかの状況において問題となることがある。より多くの値タグを追加することはより多くの周波数システム情報変更を可能にするが、シグナリングオーバヘッドを容認できないほど増加させる。
【発明の概要】
【０００５】
１つ以上の実施の形態によれば、システム情報のための少なくとも２つの異なる可能な値タグは、例えば全ての可能な値タグが同じ有効期間に関連付けられるのではなく、異なる可能な有効期間にそれぞれ関連付けられる。したがって、ユーザ装置がシステム情報（たとえば、ブロックまたはメッセージに含まれる）を有効と見なす期間は、ユーザ装置がそのシステム情報とともに受信する値タグに依存し得る。いくつかの実施の形態では例えば、ユーザ装置におけるテーブルはそれぞれ、異なる可能な値タグのうちの少なくとも２つを、異なる可能な有効期間にマッピングする。異なる値タグのうちの少なくともいくつかに関連する異なる有効期間を用いて、いくつかの実施の形態は、値タグ送信に起因する同じ量のシグナリングオーバヘッドに対して、より頻繁なシステム情報変更を可能にする。
【０００６】
特に、本明細書のいくつかの実施の形態は、無線通信システムにおいて用いられるよう構成されたユーザ装置によって行われる方法を含む。方法は、システム情報と、システム情報のバージョンを示す値タグと、を受信することを含む。値タグは有効期間に関連付けられ、システム情報のバージョンはその有効期間の間有効であるとみなされる。値タグは異なる可能な値タグのうちのひとつである。異なる可能な値タグのうちの少なくとも二つはそれぞれ異なる可能な有効期間に関連付けられる。
【０００７】
ある実施の形態では、方法はさらに、前記システム情報および前記値タグの受信に応じて、システム情報（１６）のバージョンを格納することを含む。方法はまた、システム情報のバージョンを格納してから有効期間が経過したか否かを判定することによって、格納されたシステム情報ｔのバージョンが有効か無効かを判定することを含んでもよい。方法はさらに、判定にしたがい格納されたシステム情報コンポーネントのバージョンが有効か無効かに応じて、システム情報を選択的に再取得することを含んでもよい。
【０００８】
ある実施の形態では、ユーザ装置におけるテーブルは、異なる可能な値タグのそれぞれを、異なる可能な有効期間のうちのひとつにマッピングし、異なる可能な値タグのうちの少なくとも二つはそれぞれ異なる可能な有効期間にマッピングされる。
【０００９】
実施の形態は、また、無線通信システムにおいて用いられるよう構成された無線ネットワークノードによって行われる方法を含む。方法は、システム情報と、システム情報のバージョンを示す値タグと、を送信することを含む。値タグは有効期間に関連付けられ、システム情報のバージョンはその有効期間の間有効であるとみなされる。値タグは異なる可能な値タグのうちのひとつである。異なる可能な値タグのうちの少なくとも二つはそれぞれ異なる可能な有効期間に関連付けられる。
【００１０】
ある実施の形態では、方法はさらに、異なる可能な値タグのなかから、システム情報コンポーネントがどれくらいの頻度で更新されるべきかに基づいて、値タグを選択することを含む。
【００１１】
ある実施の形態では、無線ネットワークノードにおけるテーブルは、異なる可能な値タグのそれぞれを、異なる可能な有効期間のうちのひとつにマッピングし、異なる可能な値タグのうちの少なくとも二つはそれぞれ異なる可能な有効期間にマッピングされる。
【００１２】
上述の実施の形態のいずれかにおいて、ユーザ装置または無線ネットワークノードで、少なくとも二つの異なる可能な値タグは同じ可能な有効期間に関連付けられてもよい。
【００１３】
上述の実施の形態のいずれかにおいて、システム情報は、最小システム情報またはマスタ情報ブロックに含まれる。あるいはまた、システム情報は、最小システム情報以外のシステム情報またはシステム情報ブロックに含まれてもよい。さらに他の実施の形態では、システム情報はシステム情報メッセージに含まれる。
【００１４】
実施の形態はまた、対応する装置、コンピュータプログラムおよびキャリア（例えば、非一時的コンピュータ可読媒体）を含む。
【００１５】
例えば、実施の形態は、無線通信システムにおいて用いられるよう構成されたユーザ装置を含む。ユーザ装置は、システム情報と、システム情報のバージョンを示す値タグと、を受信するよう構成される。値タグは有効期間に関連付けられ、システム情報のバージョンはその有効期間の間有効であるとみなされる。値タグは異なる可能な値タグのうちのひとつである。異なる可能な値タグのうちの少なくとも二つはそれぞれ異なる可能な有効期間に関連付けられる。
【００１６】
実施の形態は、また、無線通信システムにおいて用いられるよう構成された無線ネットワークノードを含む。無線ネットワークノードは、システム情報と、システム情報のバージョンを示す値タグと、を送信するよう構成される。値タグは有効期間に関連付けられ、システム情報のバージョンはその有効期間の間有効であるとみなされる。値タグは異なる可能な値タグのうちのひとつである。異なる可能な値タグのうちの少なくとも二つはそれぞれ異なる可能な有効期間に関連付けられる。
【図面の簡単な説明】
【００１７】
【図１】ある実施の形態に係る、無線ネットワークノードおよびユーザ装置を含む無線通信システムのブロック図である。
【図２Ａ】ある実施の形態に係る、システム情報および値タグのブロック図である。
【図２Ｂ】他の実施の形態に係る、システム情報および値タグのブロック図である。
【図２Ｃ】さらに他の実施の形態に係る、システム情報および値タグのブロック図である。
【図２Ｄ】また別の実施の形態に係る、システム情報および値タグのブロック図である。
【図３Ａ】ある実施の形態に係る、無線ネットワークノードによって行われる方法の論理フロー図である。
【図３Ｂ】ある実施の形態に係る、ユーザ装置によって行われる方法の論理フロー図である。
【図４Ａ】他の実施の形態に係る、無線ネットワークノードによって行われる方法の論理フロー図である。
【図４Ｂ】他の実施の形態に係る、ユーザ装置によって行われる方法の論理フロー図である。
【図５】ある実施の形態に係る、それにしたがってシステム情報が変更される変更期間のブロック図である。
【図６】ある実施の形態に係る、ニューラジオ（ＮＲ）無線通信システムのブロック図である。
【図７】ある実施の形態に係る、無線通信システムおよび関連するプロトコルレイヤのブロック図である。
【図８】ある実施の形態に係る、ニューラジオ（ＮＲ）無線通信システムにおけるシステム情報のブロック図である。
【図９】ある実施の形態に係る、ユーザ装置によって行われる処理の論理フロー図である。
【図１０】ある実施の形態に係る、値タグのテーブルである。
【図１１】ある実施の形態に係る、値タグのテーブルであり、少なくともいくつかの値タグが異なる有効期間に関連付けられている。
【図１２Ａ】ある実施の形態に係る、無線ネットワークノードのブロック図である。
【図１２Ｂ】他の実施の形態に係る、無線ネットワークノードのブロック図である。
【図１３Ａ】ある実施の形態に係る、ユーザ装置のブロック図である。
【図１３Ｂ】他の実施の形態に係る、ユーザ装置のブロック図である。
【発明を実施するための形態】
【００１８】
図１は、無線通信システム１０、例えば５Ｇシステムにおける無線ネットワークノード１２およびユーザ装置１４を示す。無線ネットワークノード１２は、ユーザ装置１４がシステム１０で動作するのを支援するために、いわゆるシステム情報（ＳＩ）１６をユーザ装置１４に送信（例えば、報知）する。システム情報１６は例えば、ＰＬＭＮ（Ｐｕｂｌｉｃ  Ｌａｎｄ  Ｍｏｂｉｌｅ  Ｎｅｔｗｏｒｋ）ＩＤ、システム帯域幅などを含む、システム１０に関する一般的な情報を記述するパラメータを含むことができる。システム情報１６は追加的にまたは代替的に、制御チャネルの割り当て、ページングチャネル情報、セル選択情報など、システム１０内の特定のセルに固有の情報を記述するパラメータを含むことができる。
【００１９】
システム情報１６は経時的に変化し得る。無線ネットワークノード１２は、そのような変更についてユーザ装置１４に通知する。この点に関して、無線ネットワークノード１２は、例えば図１に示されるように、システム情報１６に埋め込まれるか、さもなければ、システム情報１６に関連付けられる値タグ１８を送信することによって、そのような変更についてユーザ装置１４に効果的に通知する。システム情報１６に関連付けられた値タグ１８は、そのシステム情報１６のバージョンを示す。したがって、値タグ１８によって示されるように、システム情報１６の変更はそのシステム情報の異なるバージョンを生じる。例えば、値タグ１８は、システム情報１６が変更されるたびにインクリメントされてもよい。いくつかの実施の形態では、ユーザ装置１４は、ユーザ装置１４がシステム情報１６を最後に読み取って（および保存して）から値タグ１８が変化した場合、値タグ１８によって示されるシステム情報１６のバージョンを読み取る（および保存する）。値タグ１８が変更されていない場合、ユーザ装置１４は例えば、ユーザ装置１４がシステム情報１６のそのバージョンを既に以前に保存しているという仮定の下で、システム情報１６を読み取らず、保存しなくてもよい。
【００２０】
しかし、本明細書のいくつかの実施の形態によれば、値タグ１８は、システム情報１６のバージョンを示すだけでなく、そのバージョンのシステム情報１６が有効であると見なされる有効期間２０にも関連付けられる。この場合、ユーザ装置１４は、システム情報１６のバージョンが有効期間２０の間有効であると考える。有効期間２０の満了後にシステム情報１６のバージョンが無効になった場合、値タグ１８が変更されていなくても、ユーザ装置１４はシステム情報１６を再読み出し（および再保存）することができる。
【００２１】
例えば、システム情報１６および値タグ１８の受信に応答して、ユーザ装置１４は、値タグ１８によって示されるシステム情報１６のバージョンを記憶することができる。例えば、図１は、ユーザ装置１４が時刻Ｔ０においてシステム情報１６を受信及び／又は保存することを示す。ユーザ装置１４はまた、ユーザ装置１４がシステム情報１６のバージョンを受信および／または記憶してからどれだけの時間が経過したかを決定するためのタイマまたはカウントダウンを開始してもよい。有効期間２０が満了すると（例えば、図１の時刻Ｔ１の時点で）、ユーザ装置１４は、システム情報１６を再取得する。これにより、ユーザ装置１４は、システム情報１６のバージョンを格納してから有効期間２０が経過したか否かを判定することによって、システム情報１６の格納されたバージョンが有効であるか無効であるかを（例えば、時々または定期的に）判定し、その判定に従って、システム情報１６の格納されたバージョンが有効であるか無効であるかに応じて、システム情報１６を選択的に再取得することができる。
【００２２】
ある実施の形態では、値タグは異なる可能な値タグのうちのひとつである。特に、異なる可能な値タグのうちの少なくとも二つはそれぞれ異なる可能な有効期間に関連付けられる。例えば、図１は、ユーザ装置１４および／または無線ネットワークノード１２で、または、それによって取得可能な、タグ−期間関連付け２２（例えば、テーブルの形で）が、Ｎ個の異なる可能な値タグ１、２、．．．、ＮのそれぞれをＭ個の異なる可能な有効期間１、２、．．．、Ｍにマッピングすることができることを示す。ここで、Ｎ≧２およびＭ≧２である。Ｎはいくつかの実施の形態ではＭに等しくてもよいが、他の実施の形態ではＮはＭに等しくなくてもよく、一実施形態では例えば、Ｎ個の異なる可能な値タグのうちのいくつかのみが、異なる可能な有効期間にマッピングされるように、Ｎ＞Ｍであってもよい。すなわち、Ｎ個の異なる可能な値タグのうちの少なくとも２つは異なる可能な有効期間にそれぞれマッピングされ、Ｎ個の異なる可能な値タグのうちの少なくとも２つは同じ可能な有効期間にそれぞれマッピングされる。次いで、これらおよび他の実施の形態では、システム情報１６のバージョンが有効であると見なされる有効期間は、ある意味、そのバージョンを示す値タグ１８に特有であるか、または値タグ１８を含む値タグの部分集合に特有であると見なされ得る（例えば、部分集合内の値タグはすべて同じ有効期間に関連付けられる）。
【００２３】
いずれにしても、これらの実施の形態における無線ネットワークノード１２は、システム情報１６のバージョンを示すためにどの値タグを使用すべきかを選択することによって、ユーザ装置１４がシステム情報１６のバージョンを有効と見なす期間を制御することができる。無線ネットワークノード１２は例えば、タグ１を選択することによって、期間１の間、システム情報１６のバージョンが有効であると見なすようユーザ装置１４を制御し、タグ２を選択することによって、代わりに、期間２の間、システム情報１６のバージョンが有効であると見なすようにユーザ装置１４を制御してもよい。
【００２４】
異なる値タグの少なくともいくつかに関連する異なる有効期間を用いて、いくつかの実施の形態は、システム情報がめったに更新されない状況（例えば、より長い有効期間が適切であるような）、ならびにシステム情報がより頻繁に更新される状況（例えば、より短い有効期間が適切であるような）に柔軟に対処する。無線ネットワークノード１２は例えば、システム情報１６がどのくらいの頻度で更新されるべきかに基づいて、異なる可能な値タグの中から使用する値タグ１８を選択することができる。無線ネットワークノード１２は、システム情報１６がより頻繁に更新されるべきである場合には比較的短い有効期間に関連する値タグを選択することができるが、システム情報１６がより頻繁に更新されるべきでない場合には比較的長い有効期間に関連する異なる値タグを選択することができる。
【００２５】
代替として、または追加として、いくつかの実施の形態は例えば、値タグ送信に起因する同じ量のシグナリングオーバヘッドに対して、既知の手法よりも頻繁なシステム情報変更を可能にするので有利である。例えば、値タグは既知の手法と同じビット数を有することができるが、少なくともいくつかの値タグが異なる有効期間に関連付けられるので、より頻繁なシステム情報変更を可能にする。
【００２６】
なお、図１のシステム情報１６は、システム情報のどのようなコンポーネントであってもよい。システム情報のコンポーネントは、任意の粒度または解像度でのシステム情報の任意の一部または部分である。図２Ａに示すように、例えば、図１のシステム情報１６は、１つ以上のシステム情報ブロック（ＳＩＢ）２４を含むシステム情報メッセージ１６Ａであってもよい。ＳＩＢ  ２４は同じ性質のシステム情報（例えば、情報要素の形で）を一緒にグループ化することができる。したがって、システム情報メッセージ１６Ａは、１つまたは複数のＳＩＢ用のコンテナとして働くことができる。いくつかの実施の形態では、値タグ１８はシステム情報メッセージ１６Ａに関連付けられ、ＳＩＢごとに（ＳＩＢ  ｂｙ  ＳＩＢ）ベースではなく、例えば、メッセージごとに（ｍｅｓｓａｇｅ  ｂｙ  ｍｅｓｓａｇｅ）ベースで、システム情報メッセージ１６Ａのバージョンを示す。次いで、これらの実施の形態では、ユーザ装置１４は、読み取ったシステム情報メッセージの値タグを格納することができる。後に新しいシステム情報を読み取ると、ユーザ装置１４は新しいシステム情報に含まれる値タグを比較し、関心のある任意のシステム情報メッセージにおいて変更が行われたかどうか、したがって、報知情報の読み取りが必要であるかどうかを結論付けることができる。
【００２７】
図２Ｂに示す他の実施の形態では、図１のシステム情報１６は、例えば、システム情報メッセージ２６に含まれるＳＩＢ  １６Ｂであってもよい。この場合、値タグ１８はＳＩＢ  １６Ｂに関連付けられ、ＳＩＢ  １６Ｂのバージョンを、例えば、ＳＩＢごとに示す。図示されるように、例えば、異なる値タグ１８は、（例えば、同じシステム情報メッセージに含まれる）異なるＳＩＢに関連付けられることによって、それらのＳＩＢのそれぞれのバージョンを示してもよい。
【００２８】
さらに他の実施の形態では、図１のシステム情報１６は、図２Ｃに示すようなマスタ情報ブロック（ＭＩＢ）１６Ｃであってもよい。この場合、値タグ１８は、ＭＩＢ  １６Ｃに関連付けられ、ＭＩＢ  １６Ｃのバージョンを示す。ＭＩＢ  １６Ｃは例えば、ＰＬＭＮ（Ｐｕｂｌｉｃ  Ｌａｎｄ  Ｍｏｂｉｌｅ  Ｎｅｔｗｏｒｋ）ＩＤ、システム帯域幅などを含む、システム１０に関する一般的な情報を記述するパラメータを含むことができる。これは、例えば、制御チャネルの割り当て、ページングチャネル情報、セル選択情報等のような、システム１０内の所定のセルに固有の情報を記述するパラメータを含む他のＳＩＢ２４と区別されてもよい。
【００２９】
さらに他の実施の形態では、図１のシステム情報１６は、図２Ｄに示すように、（例えば、５Ｇニューラジオシステムにおける）最小システム情報１６Ｄであってもよい。この場合、値タグ１８は最小システム情報１６Ｄに対応付けられており、最小システム情報１６Ｄのバージョンを示す。最小システム情報１６Ｄは例えば、ＰＬＭＮ（Ｐｕｂｌｉｃ  Ｌａｎｄ  Ｍｏｂｉｌｅ  Ｎｅｔｗｏｒｋ）ＩＤ、システム帯域幅などを含む、システム１０に関する一般的な情報を記述するパラメータを含むことができる。これは、例えば、制御チャネルの割り当て、ページングチャネル情報、セル選択情報等のような、システム１０内の所定のセルに固有の情報を記述するパラメータを含む他のシステム情報（例えば、ＳＩＢ  ２４の形で）と区別されてもよい。図示されていないさらに他の実施の形態では、システム情報１６は、他のシステム情報に関連付けられた値タグ１８が他のシステム情報のバージョンを示すような、そのような他のシステム情報であってもよい。
【００３０】
上記の修正および変形を考慮して、図３Ａは、いくつかの実施の形態による無線通信システム１０で使用するように構成された無線ネットワークノード１２によって実行される方法１００を示す。図示のように、方法１００は、システム情報１６と、システム情報１６のバージョンを示す値タグ１８とを送信することを含む（ブロック１１０）。値タグ１８は有効期間２０に関連付けられ、システム情報１６のバージョンはその有効期間の間有効であるとみなされる。値タグ１８は複数の異なる可能な値タグのうちのひとつである。異なる可能な値タグのうちの少なくとも二つはそれぞれ異なる可能な有効期間に関連付けられる。いくつかの実施の形態では、方法１００は、システム情報１６を生成し、値タグ１６を選択するステップをさらに含むことができる（ブロック１０５）。
【００３１】
図３Ｂは、いくつかの実施の形態による、無線通信システム１０での用に供されるように構成されたユーザ装置１４によって実行される対応する方法２００を示す。図示のように、方法２００は、システム情報１６と、システム情報１６のバージョンを示す値タグ１８とを受信することを含む（ブロック２１０）。値タグ１８は有効期間２０に関連付けられ、システム情報１６のバージョンはその有効期間の間有効であるとみなされる。値タグ１８は複数の異なる可能な値タグのうちのひとつである。異なる可能な値タグのうちの少なくとも二つはそれぞれ異なる可能な有効期間に関連付けられる。
【００３２】
ある実施の形態では、方法２００はさらに、システム情報１６および値タグ１８の受信に応じて、システム情報１６のバージョンを格納すること（ブロック２２０）を含んでもよい。方法２００はまた、システム情報１６のバージョンを格納してから有効期間２０が経過したか否かを判定することによって、格納されたシステム情報１６のバージョンが有効か無効かを（例えば、時々または周期的に）判定すること（ブロック２３０）を含んでもよい。方法２００はさらに、判定にしたがい格納されたシステム情報１６のバージョンが有効か無効かに応じて、システム情報１６を選択的に再取得すること（ブロック２４０）を含んでもよい。
【００３３】
図４Ａは、他の実施の形態による、無線通信システム１０で使用するように構成された無線ネットワークノード１２によって実行される方法１５０を示す。図示のように、方法１５０は、システム情報１６と、システム情報１６のバージョンを示す値タグ１８とを送信することを含む（ブロック１６０）。システム情報１６のバージョンが有効であると見なされる有効期間２０は、値タグ１８に固有であるか、または値タグ１８を含む値タグの部分集合に固有である。いくつかの実施の形態では、方法１５０は、システム情報１６および値タグ１６を生成するステップをさらに含むことができる（ブロック１５５）。
【００３４】
図４Ｂは、いくつかの実施の形態による、無線通信システム１０での用に供されるように構成されたユーザ装置１４によって実行される対応する方法２５０を示す。図示のように、方法２５０は、システム情報１６と、システム情報１６のバージョンを示す値タグ１８とを受信することを含む（ブロック２６０）。システム情報１６のバージョンが有効であると見なされる有効期間２０は、値タグ１８に固有であるか、または値タグ１８を含む値タグの部分集合に固有である。
【００３５】
ある実施の形態では、方法２５０はさらに、システム情報１６を受信してから有効期間２０が経過したか否かを判定することによって、システム情報１６のバージョンが有効か無効かを（例えば、時々または周期的に）判定すること（ブロック２７０）を含んでもよい。方法２５０はさらに、判定にしたがいシステム情報１６のバージョンが有効か無効かに応じて、システム情報１６を選択的に再取得すること（ブロック２８０）を含んでもよい。
【００３６】
いくつかの実施の形態はここで、それらの実施の形態のより具体的な例を提供するために、所定のコンテキストで説明される。
【００３７】
３ＧＰＰによって現在標準化されている５Ｇシステム（ここで、無線アクセスネットワークはニューラジオ（ＮＲ）と呼ばれ、コアネットワークは次世代コア（ＮＧＣ）と呼ばれる）について、３ＧＰＰは、ロングタームエボリューション（ＬＴＥ）において使用されているシステム情報（ＳＩ）の配信のための原理を部分的に変更することに合意した。
ＬＴＥでは、システム情報は３ＧＰＰ  ＴＳ  ３６．３３１で規定されている。ＬＴＥのための３ＧＰＰ仕様によれば、システム情報の変更は特定の無線フレームにおいてのみ発生する、すなわち、変更期間の概念が使用される。システム情報は、そのスケジューリングによって定義されるように、変更期間内に同じ内容で何度も送信され得る。
【００３８】
ネットワークが報知制御チャネル（ＢＣＣＨ）上で送信されるシステム情報の少なくとも一部を変更すると、ネットワークは最初に、この変更についてユーザ装置（ＵＥ）に通知し、その後、更新されたシステム情報の送信を開始する。図５は例えば、ネットワークがＢＣＣＨ変更期間ｎにおいて変更通知を送信し、次に、次のＢＣＣＨ変更期間ｎ＋１において更新されたシステム情報の送信を開始することを示す。ＵＥは、変更通知を受信すると、次の変更期間に新たなシステム情報を取得する。ＵＥは、新たなシステム情報を取得するまで、以前に取得したシステム情報を適用する。
【００３９】
ページングメッセージは無線リソース制御（ＲＲＣ）アイドルモード（ＲＲＣ＿ＩＤＬＥ）のＵＥ、ＲＲＣ接続モード（ＲＲＣ＿ｃｏｎｎｅｃｔｅｄ）のＵＥ、またはＲＲＣ非アクティブモード（ＲＲＣ＿ｉｎａｃｔｉｖｅ）のＵＥに、システム情報変更について通知するために使用される。ＵＥがＲＲＣ＿ＣＯＮＮＥＣＴＥＤにあり、ｓｙｓｔｅｍＩｎｆｏＭｏｄｉｆｉｃａｔｉｏｎ情報要素（ＩＥ）を含むページングメッセージを受信する場合、ＵＥは、システム情報が次の変更期間境界で変化することを知る。
【００４０】
ＬＴＥでは、ＳｙｓｔｅｍＩｎｆｏｒｍａｔｉｏｎＢｌｏｃｋＴｙｐｅ１（または狭帯域ＩｏＴ（物のインターネット化ＵＥのもの）のためのＭａｓｔｅｒＩｎｆｏｒｍａｔｉｏｎＢｌｏｃｋ−ＮＢ）は、ＳＩメッセージに変更が生じたかどうかを示す値タグ、ｓｙｓｔｅｍＩｎｆｏＶａｌｕｅＴａｇを含む。ＵＥは、例えば、カバレッジ外から戻ったときに、ｓｙｓｔｅｍＩｎｆｏＶａｌｕｅＴａｇを使用することによって、以前に格納されたＳＩメッセージが依然として有効であるかどうかを検証することができる。ＵＥは特に明記しない限り、格納されたシステム情報が、有効であると首尾よく確認された時点から３時間後に無効であると見なす。特定のタイプのＵＥは、格納されたシステム情報が有効であると首尾よく確認された瞬間から２４時間有効であると考えることさえできる。ＵＥは、この２４時間を代わりに３時間に変更することができるパラメータｓｉ−ＶａｌｉｄｉｔｙＴｉｍｅを用いて設定することもできる。この期間の後、保持されているシステム情報は、新たなＳＩ取得を介して更新されなければならない。
【００４１】
所定のタイプのＵＥ、例えば、ＮＢ−ＩｏＴ  ＵＥの場合、特定のシステム情報メッセージの変更は、別の値タグ、ｓｙｓｔｅｍＩｎｆｏＶａｌｕｅＴａｇＳＩによって示すこともできる。ｓｙｓｔｅｍＩｎｆｏＶａｌｕｅＴａｇがＳｙｓｔｅｍＩｎｆｏｒｍａｔｉｏｎＢｌｏｃｋＴｙｐｅ１−ＢＲ（またはＮＢ−ＩｏＴではＭａｓｔｅｒＩｎｆｏｒｍａｔｉｏｎＢｌｏｃｋ−ＮＢ）に含まれ、格納されたシステム情報の１つとは異なる場合、および、ｓｙｓｔｅｍＩｎｆｏＶａｌｕｅＴａｇＳＩが特定のＳＩメッセージについてＳｙｓｔｅｍＩｎｆｏｒｍａｔｉｏｎＢｌｏｃｋＴｙｐｅ１−ＢＲ（またはＮＢ−ＩｏＴではＳｙｓｔｅｍＩｎｆｏｒｍａｔｉｏｎＢｌｏｃｋＴｙｐｅ１−ＮＢ）に含まれ、格納されたそれとは異なる場合、ＵＥは、この特定のＳＩメッセージが無効であると見なすべきである。ｓｙｓｔｅｍＩｎｆｏＶａｌｕｅＴａｇのみが含まれ、格納されたものと異なる場合、いくつかのＵＥは３ＧＰＰ  ＴＳ  ３６．３３１で指定されるように、いくつかの例外を除いて、任意の格納されたシステム情報が無効であると見なすべきである。
【００４２】
ネットワークは何らかのシステム情報の変更時にｓｙｓｔｅｍＩｎｆｏＶａｌｕｅＴａｇを更新しないことを選択することができ、また、何らかのシステム情報が変更された場合、ページングメッセージに変更の指示を含めないことを選択することもできる。これは、特に、定期的に変化する情報に関する。この結果、システム情報を格納したＵＥは、いずれにしても最新のシステム情報を有していない可能性がある。
【００４３】
ＮＲ無線アクセスおよびＮＧＣシステムは例えば、３ＧＰＰ  ＴＳ  ２３．５０１に概説され、図６に示されるように、いくつかの異なるノードおよびインタフェースから構成される。より詳細には図６において、ＵＥは（無線）アクセスネットワーク（Ｒ）ＡＮに接続し、そのアクセスネットワークは次いでＵＥに、ユーザプレーン機能（ＵＰＦ）を介してデータネットワーク（ＤＮ）へのアクセスを提供する。コアネットワークにおける制御プレーン機能には、アクセスおよびモビリティ機能（ＡＭＦ）、セッション管理機能（ＳＭＦ）、ポリシおよび制御機能（ＰＣＦ）、アプリケーション機能（ＡＦ）、認証サーバ機能（ＡＵＳＦ）、および統合データ管理（ＵＤＭ）機能が含まれる。
【００４４】
以下の説明はＲＡＮ／アクセスノードおよびＵＥに焦点を当て、以降、無線アクセスノード（Ｒ）ＡＮをｇ−ＮｏｄｅＢまたはｇＮＢと略記する。
【００４５】
ｇＮＢの展開は、制御プレーン（制御シグナリング用）とユーザプレーン（ユーザデータ用）の両方において、パケットデータコンバージェンスプロトコル（ＰＤＣＰ）サブレイヤや無線リンク制御（ＲＬＣ）およびメディアアクセス制御（ＭＡＣ）サブレイヤなど、いくつかのプロトコルレイヤに関連する機能を含む。ｇＮＢは単一の物理ノードである必要はないが、サポートされるプロトコルに関連する様々な機能はいくつかの処理ユニットにわたって非常に良好に分散され得ることに留意されたい。図７は、別々のプラットフォームにおける集中無線リソース管理（ＲＲＭ）を伴う集中ＰＤＣＰを示し、ＰＤＣＰ−Ｕがユーザプレーンを指し、ＰＤＣＰ−Ｃが制御プレーンを指す。３ＧＰＰ  ＴＳ  ３８．８０１を参照されたい。
【００４６】
ｇＮＢのタスクの１つは報知情報を送信することであり、報知情報が管理されるのは無線リソース制御（ＲＲＣ）レイヤである。
【００４７】
ＮＲの場合、ＳＩを「最小ＳＩ」と「他のＳＩ」とに分割することが決定されており、最小ＳＩはセルにアクセスするのに必要なＳＩである。最小ＳＩはセル内で周期的に報知され、一方、他のＳＩは周期的に報知されるか、またはオンデマンドで配信され、おそらく、ランダムアクセスプリアンブル（Ｍｓｇ１とも呼ばれる）またはランダムアクセスメッセージ３（Ｍｓｇ３とも呼ばれる）によってトリガされる。
【００４８】
ＬＴＥにおけるシステム情報と同様に、最小システム情報の報知は、変更されない場合にそれが定期的に再取得される必要がないように、ＵＥに格納されてもよい。これを行うことができる方法は、上述したのと同様の方法で、インデクスまたは値タグを用いてシステム情報の集合にインデクスを付けることによって行われる。次いで、ＵＥは報知されているあるインデクスを見ると、これを保存されているインデクスと相関させることができ、同じである場合、報知されるシステム情報は、保存されているものと同じである。インデクスが異なる場合、システム情報は再び取得され、場合によっては新しい値タグに関連付けて格納されなければならない。
【００４９】
システム情報が頻繁に変化し、ＵＥがこれについて通知されることが重要である場合、ＬＴＥで指定された３時間または２４時間の有効期間を仮定すると、値タグインデクスを符号化するための異なる方法の量が制限となり得る。例えば、多くのシステム情報変更が３時間の期間中に発生し、より少ない数の値タグインデクスコードが存在する場合、これは、いくつかのＵＥが、更新されるよりむしろもはや正しくない値タグインデクスに関連する情報を格納したという結果を生じさせうる。同時に、値タグフィールドは、頻繁に報知される情報であるので、値タグフィールドをできるだけ短く保つことが望まれる。
【００５０】
いくつかの実施の形態によれば、値タグインデクスはより多くの異なる値を提供するように拡張される（例えば、５または６ビットフィールドから８〜１２ビットフィールドまたは同様のものに拡張される）代わりに、異なる有効期間を有するように指定される。値タグを参照するが、実施の形態は、その値がシステム情報が変更されるかどうかを示す任意のタイプのインジケーションに拡張可能であることに留意されたい。
【００５１】
頻繁なシステム情報更新が発生する状況では、そのような情報をＵＥに記憶させることは理にかなっているが、好適には、有効期間は好ましくは３時間よりもはるかに短くなければならない。ある値タグが他の値タグ値よりも著しくより短い「賞味期限」持続時間を有することで、いくつかの実施の形態は、システム情報がほとんど更新されない状況、ならびにシステム情報が頻繁に更新される状況を考慮に入れる。
【００５２】
いくつかの実施の形態では、少なくとも２つの値タグインデクス値が有効期間ごとに指定され、その結果、ネットワークはこれらの２つの値の間でトグルし、有効期間サイクルに対応する修正サイクルで報知情報を変更することができ、それでもなお、ＵＥが古いシステム情報を保存していないことを保証することができる。
【００５３】
図８に示すいくつかの実施の形態では、報知情報がＮＲマスタ情報ブロック（ＭＩＢ）およびＮＲ  ＳＩＢ報知情報において分離される。ＮＲ−ＭＩＢは、ＮＲ−ＰＢＣＨ（物理報知チャネル）における同期信号（ＳＳ）ブロック送信に含まれる。ＮＲ−ＭＩＢは、タスクとして、他のシステム情報をインデクスしなければならない。ＭＩＢは、ＰＢＣＨ上で送信され、物理ダウンリンク共有チャネル（ＰＤＳＣＨ）上にある。これに関して、ＮＲ−ＭＩＢは、ＮＲ−ＳＩＢ１報知情報に関連する情報を含む。
【００５４】
ＮＲ−ＳＩＢ１報知情報は例えば、システムにアクセスすることができるためにＵＥが読み取る必要のあるすべての情報を含むことができ、それはまた、それほど重要でない可能性があるさらなる情報を含む、他のシステム情報ブロック、例えば、ＮＲ−ＳＩＢ＃、を指し示すこともできる。あるいはまた、ＮＲ−ＳＩＢ１が他のＮＲ−ＳＩＢ＃についての情報のみを含んでもよく、ＵＥがシステムにアクセスするために必要なすべての情報を提供しなくてもよい。そのような情報は代わりに、１つまたはいくつかの他のＮＲ−ＳＩＢ＃にわたって拡散され得る。次に、ＮＲ−ＳＩＢ１は、他のＮＲ−ＳＩＢに関する情報を提供する。
【００５５】
最小システム情報は、以下に関連する情報を含んでもよい：システムフレーム番号（ＳＦＮ）、公衆陸上移動ネットワーク（ＰＬＭＮ）のリスト、セルＩＤ、セルキャンピングパラメータ、ランダムアクセスチャネル（ＲＡＣＨ）パラメータ、他のＳＩブロックを要求するためのパラメータ、他のＳＩのためのスケジューリング情報、ＳＩＢタイプ、有効性情報、ＳＩ周期、ＳＩウィンドウ情報、ＳＩブロックが定期的に報知されるかオンデマンドで提供されるかの指示、および／またはＵＥが既に格納されたＳＩブロック／ＳＩメッセージの再取得を回避することを可能にするための最小ＳＩにおけるインデクス／識別子。
【００５６】
次に、図８のＳＳブロックを考える。最初に、ＳＳブロックはＮＲプライマリ同期信号（ＰＳＳ）／セカンダリ同期信号（ＳＳＳ）、すなわち、ＮＲ−ＰＳＳ／ＮＲ−ＳＳＳのシーケンスインデクスとして符号化される可能性が高い物理セルアイデンティティ（ＰＣＩ）を提供する。したがって、格納されたＳＩが特定のセルにおいて有効であるかどうかを判定するために、ＰＣＩを使用することができる。
【００５７】
第２に、いくつかの実施の形態におけるＳＳブロックは、ＳＳバーストまたはＳＳバーストセットにおいて受信されたＳＳブロックのタイミングを特定するＮＲ−ＴＳＳ部分（図示せず）を提供することができる。例えば、アナログビーム掃引の場合、ＴＳＳとビームとの間に関係がある。ＳＩは、それぞれのビームに依存し得る。多数のビームが存在する場合、利用可能なＳＩに従って存在しなければならず、したがって、より多くの数の値タグが必要とされる。したがって、値タグは、柔軟かつ動的に割り当てられる必要がある。
【００５８】
第３に、ＮＲ−ＰＢＣＨはマスタ情報ブロック（ＭＩＢ）を含み、マスタ情報ブロック（ＭＩＢ）は、格納されたＳＩが有効であるか否かを判定するために使用され得る１つまたは複数のインデクスまたは識別子を提供することもできる。ＭＩＢは例えば、この目的のためのシステム情報値タグ、すなわちｖａｌｕｅＴａｇ＿ＳＩを含むことができる。ＮＲ−ＭＩＢはまた、ＮＲ−ＳＩＢ１を受信するために使用される物理チャネルの構成を含み得る。
【００５９】
いくつかの実施形態は、ＭＩＢに値タグを含む。これに加えて、またはこれに代えて、（個別の）値タグを１つまたは複数のＳＩＢ（ＮＲ−ＳＩＢ＃）に含めることができる。
【００６０】
ＳＳブロック内のＭＩＢが値タグを含む場合、ＳＳブロックを受信するＵＥは、格納されたシステム情報のあるコピーが有効であるか否かを判定することができる。図９は一例を示す。図示されるように、ＵＥはＳＳブロックを読み取り、ＭＩＢに含まれる値タグがある値を有することを決定し、その値は、ここでは「ｎｄ」と呼ばれる（ブロック３００）。次に、ＵＥは、ＭＩＢの有効な値タグに関連する格納されたＳＩがあるかどうかをチェックする（ブロック３１０）。その場合、ＵＥは、「ｎｄ」の値を有する値タグに関連する格納されたＳＩを使用する（ブロック３２０）。そうでない場合、ＵＥは新しいＳＩを獲得し、古い値「ｎｄ」の代わりに新しい値「ｎｄ」を有する新しい値タグの下に新しいＳＩを保存する（ブロック３３０）。
【００６１】
ｇＮＢの観点から、ｇＮＢは、システム情報の新しい構成に値タグを割り当てる。図１０に示される例を考える。示されるように、様々なシステム情報構成Ａ−Ｅ、．．．、ＡＦの集合が、ｇＮＢによって割り当てられたＭＩＢ値タグ値の集合と共にテーブルに含まれる。このテーブルでは、ＵＥにおける有効期間は、使用される有効タグにかかわらず、３時間である。これは、ＵＥがインデクスとして値タグを伴う構成を格納する場合、ＵＥは、固有の値タグを含むとすぐに、３時間後までは、これらを使用することができることを意味する。
【００６２】
この例は、平均３６０分／３２値タグ  〜６分を示していることを注意しておく。したがって、６分ごとにＳＩが変更されうる。この場合、ＳＩの変更の要求がはるかに高くなる可能性があるため、ＳＩの変更回数が少なくなりすぎる可能性がある。
【００６３】
ここで、値タグの範囲（この場合、［０．．３１］と示される）と、値タグによって表すことができるシステム情報更新の最大数と、に相関があることを理解することができる。値タグインデクスについて３時間の期間および５ビットのフィールドを仮定すると、システム情報を３１回だけ更新することが可能であり、それでもなお新しい値タグを割り当てることが可能である。この後、３時間の持続時間があり、その間、例えば構成ＢＣなどの新しい構成をインデクス１に関連付けることを可能にするような、例えばインデクス１およびＳＩ構成Ｂなどの所定のインデクスの報知が禁止される。これらの３時間後に、有効性タイマが満了し、ｇＮＢは、その構成がもはやどのＵＥにも記憶されておらず、構成Ｂはもはや使用されていないことを安全に想定することができる。
【００６４】
代わりに、いくつかの実施の形態は、各値タグ（または値タグの各部分集合）に対して、指定されたまたは設定された有効期間を割り当てる。図１１は、ＭＩＢ値タグが５ビットである１つの例示的な実施の形態による対応する表を示す。図示のように、値タグ０および１は１０秒の有効期間を有し、値タグ２および３は１分の有効期間を有し、値タグ４および５は１０分の有効期間を有し、残りの値タグ６〜３１は３時間の有効期間を有する。
【００６５】
また、１秒または１秒未満も可能である。しかし、１秒未満では、値タグおよび／またはその持続時間限界を復号するのに例えば１ｍｓかかることがあるので、限界に達することがある。いずれにしても、この表では、異なる有効期間が異なる値タグに関連付けられている。異なる有効期間を指定する際に、ＳＩ構成のダイナミクスは著しく増加し、同じ３時間の期間中に、３時間の有効サイクルを有するいくつかの構成位置を犠牲にして、ＳＩ構成をより多くの回数切り替えることが可能になる。
【００６６】
一例として、ＳＩ構成Ｃが適用され、ＭＩＢは値タグインデクス２を含む。このインデクスがＭＩＢに含まれているときにＳＩ情報を読み取るＵＥは、システム情報を１分間しか記憶せず、次にそれが値タグ２を見たときに、１分以上経過していた場合には、再びシステム情報を取得する。
【００６７】
表では、各持続時間に対して少なくとも２つの値タグがあることに留意されたい。この理由は、より長い期間、しかし、例えば、１０分サイクルでＳＩ情報を変更する必要がある場合、ｇＮＢは、値タグ４の報知と値タグ５の報知との間でトグルすることができるからである。これは、値タグのうちの１つを未使用のままにすることを可能にするが、それでも、古くなった／無効である任意のシステム情報がＵＥに格納されるという危険にさらすことなく、１０分サイクルを実現することができる。システム情報のための１０分間のサイクルが所望され、１つの値タグのみがこの有効性を有する場合、新しい１０分間サイクルの情報に変更することは困難であろう。というのも、このインデクスを格納したＵＥが存在し得るからであり、それらＵＥは、変更されたかどうかにかかわらず、１０分間、そのインデクスに関連付けられた格納されたシステム情報を依然として使用するからである。これが起こらないことを確認するために、新しい構成を、その有効期間の持続時間中に使用されていないインデクスに関連付けることができる。
【００６８】
従って、本明細書中のいくつかの実施の形態は、値タグに対して異なる有効期間を指定する。異なる有効期間、特により短い期間は、システム情報のより柔軟な処理を可能にし、情報を動的に変更する可能性を可能にする。長い持続時間のみでは、信号を送ることが可能な異なるＳＩ組み合わせの数が制限されることがあり、これはあるインデクスに関連付けられたシステム情報をＵＥから見たものが正しくないことがあるという結果をもたらすことがある。
【００６９】
本明細書における無線ノードは、無線信号を介して通信することができる任意のタイプのノードである。本明細書の無線ネットワークノード１２は、無線信号を介して、他のノードと通信可能な任意のタイプのネットワークノード（例えば、基地局）である。ユーザ装置１４は、無線信号を介して無線ネットワークノード１２または別のユーザ装置１４と通信することができる任意のタイプのデバイスである。したがって、ユーザ装置１４は、マシンツーマシン（Ｍ２Ｍ）装置、マシンタイプ通信（ＭＴＣ）装置、ＮＢ−ＩｏＴ装置などを指すことができる。ユーザ装置１４はまた、文脈がそうでないと示すことがない限り、無線デバイス、無線通信デバイス、無線端末、または単に端末と称されてもよく、これらの用語のいずれかの使用は、デバイス対デバイスＵＥまたはデバイス、マシンタイプデバイスまたはマシン対マシン通信可能なデバイス、無線デバイスに備えられたセンサ、無線通信可能テーブルコンピュータ、モバイル端末、スマートフォン、ラップトップ組み込み装置（ＬＥＥ）、ラップトップ設置装置（ＬＭＥ）、ＵＳＢドングル、無線カスタマプレミス装置（ＣＰＥ）などを含むことが意図される。    これらのデバイスはＵＥであってもよいが、総じて直接的な人間の介入なしにデータを送受信するよう構成されることを理解すべきである。
【００７０】
ＩｏＴシナリオでは、本明細書で説明されるユーザ装置１４は、監視または測定を行い、そのような監視、測定の結果を他のデバイスまたはネットワークに送信するマシンまたはデバイスであってもよく、またはそのようなマシンまたはデバイスに備えられてもよい。そのようなマシンの特定の例は、電力計、産業機械、または例えば冷蔵庫やテレビ受像機や時計等の個人携帯物などの個人電化製品である。他のシナリオでは、本明細書で説明されるユーザ装置１４は車両に備えられ、車両の動作状態の監視および／または報告を行い、または車両に関連付けられた他の機能を行ってもよい。
【００７１】
上述の無線ネットワークノード１２（例えば、基地局）は、任意の機能手段またはユニットを実装することにより、本明細書の処理を実行してもよいことを注意しておく。ある実施の形態では、例えば、無線ネットワークノードは、図３Ａおよび／または４Ａに示されるステップを行うよう構成された対応する回路を含む。この点で、回路は、所定の機能処理を行うことに特化した回路および／またはメモリと連携するひとつ以上のマイクロプロセッサを備えてもよい。リードオンリメモリ（ＲＯＭ）やランダムアクセスメモリやキャッシュメモリやフラッシュメモリデバイスや光学記録デバイスなどのひとつ以上の種類のメモリを備えてもよいメモリを用いる実施の形態では、メモリは、ひとつ以上のマイクロプロセッサによって実行された場合、本明細書で説明される技術を実行するプログラムコードを保持する。
【００７２】
図１２Ａは、１つまたは複数の実施の形態による、無線ネットワークノード１２の追加の詳細を示す。図示の通り、無線ネットワークノード１２はひとつ以上の処理回路４１０と無線回路４２０とを含む。無線回路４２０は、無線ネットワークノード１２の内部および／または外部にある１つまたは複数のアンテナを介して送信および／または受信するように構成され得る。ひとつ以上の処理回路４１０は、例えばメモリ４３０に保持されるインストラクションを実行することによって、例えば図３Ａおよび／または４Ａで上述された処理を行うよう構成される。この点で、ひとつ以上の処理回路４１０は所定の機能手段またはユニットを実装してもよい。
【００７３】
図１２Ｂは、この点で、１つまたは複数の他の実施の形態による、無線ネットワークノード１２の追加の詳細を示す。具体的には、無線ネットワークノード１２は、上述のように、システム情報１６および値タグ１８を送信するための送信ユニットまたはモジュール４４０を含むことができる。これらのモジュールまたはユニットのうちの１つまたは複数は、図１２Ａの１つまたは複数の処理回路４１０によって実現され得る。
【００７４】
同様に、上述のユーザ装置１４Ａは、任意の機能手段またはユニットを実装することにより、本明細書の処理を実行してもよいことを注意しておく。ある実施の形態では、例えば、ユーザ装置１４は、図３Ｂおよび／または４Ｂに示されるステップを行うよう構成された対応する回路を含む。この点で、回路は、所定の機能処理を行うことに特化した回路および／またはメモリと連携するひとつ以上のマイクロプロセッサを備えてもよい。リードオンリメモリ（ＲＯＭ）やランダムアクセスメモリやキャッシュメモリやフラッシュメモリデバイスや光学記録デバイスなどのひとつ以上の種類のメモリを備えてもよいメモリを用いる実施の形態では、メモリは、ひとつ以上のマイクロプロセッサによって実行された場合、本明細書で説明される技術を実行するプログラムコードを保持する。
【００７５】
図１３Ａは、１つまたは複数の実施の形態による、ユーザ装置１４の追加の詳細を示す。図示の通り、ユーザ装置１４はひとつ以上の処理回路５１０と無線回路５２０とを含む。無線回路は、ユーザ装置１４の内部および／または外部にある１つまたは複数のアンテナを介して送信および／または受信するように構成され得る。ひとつ以上の処理回路５１０は、例えばメモリ５３０に保持されるインストラクションを実行することによって、例えば図３Ｂおよび／または４Ｂで上述された処理を行うよう構成される。この点で、ひとつ以上の処理回路５１０は所定の機能手段またはユニットを実装してもよい。
【００７６】
図１３Ｂは、この点で、１つまたは複数の他の実施の形態による、ユーザ装置１４の追加の詳細を示す。具体的には、ユーザ装置１４は、上述のように、システム情報１６および値タグ１８を受信するための受信ユニットまたはモジュール５４０を含むことができる。これらのモジュールまたはユニットのうちの１つまたは複数は、図１３Ａの１つまたは複数の処理回路５１０によって実現され得る。
【００７７】
当業者であれば、本明細書の実施の形態がさらに対応するコンピュータプログラムを含むことを理解するであろう。
【００７８】
ある実施の形態では、コンピュータプログラムはインストラクションを備え、該インストラクションは無線ネットワークノードの少なくともひとつのプロセッサによって実行された場合、無線ネットワークノードに上述の処理のいずれかを実行させる。他の実施の形態では、コンピュータプログラムはインストラクションを備え、該インストラクションはユーザ装置の少なくともひとつのプロセッサによって実行された場合、ユーザ装置に上述の処理のいずれかを実行させる。この点で、コンピュータプログラムは、上述の手段またはユニットに対応するひとつ以上のコードモジュールを備えてもよい。
【００７９】
実施の形態はさらに、そのようなコンピュータプログラムを含むキャリアを含む。このキャリアは電気信号、光信号、無線信号、またはコンピュータ可読保持媒体のうちのひとつを含んでもよい。
【００８０】
もちろん、本発明は、本発明の本質的な特徴から逸脱することなく、本明細書に具体的に記載された方法以外の方法で実施されてもよい。本実施の形態はすべての点で、例示であって限定ではないと見なされるべきであり、添付の特許請求の範囲の意味および同等の範囲内に入るすべての変更は、その中に包含されることが意図される。
【図１】
2020511901.tif 000003
【図２Ａ】
2020511901.tif 000004
【図２Ｂ】
2020511901.tif 000005
【図２Ｃ】
2020511901.tif 000006
【図２Ｄ】
2020511901.tif 000007
【図３Ａ】
2020511901.tif 000008
【図３Ｂ】
2020511901.tif 000009
【図４Ａ】
2020511901.tif 000010
【図４Ｂ】
2020511901.tif 000011
【図５】
2020511901.tif 000012
【図６】
2020511901.tif 000013
【図７】
2020511901.tif 000014
【図８】
2020511901.tif 000015
【図９】
2020511901.tif 000016
【図１０】
2020511901.tif 000017
【図１１】
2020511901.tif 000018
【図１２Ａ】
2020511901.tif 000019
【図１２Ｂ】
2020511901.tif 000020
【図１３Ａ】
2020511901.tif 000021
【図１３Ｂ】
2020511901.tif 000022
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
無線通信システム（１０）での用に供されるよう構成されたユーザ装置（１４）によって実行される方法であって、前記方法は、
システム情報（１６）と、前記システム情報（１６）のバージョンを示す値タグ（１８）と、を受信すること（２１０）であって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、受信することを含み、
前記ユーザ装置（１４）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされる方法。
【請求項２】
前記システム情報（１６）および前記値タグ（１８）の受信に応じて、前記システム情報（１６）の前記バージョンを格納すること（２２０）と、
前記システム情報（１６）の前記バージョンを格納してから前記有効期間（２０）が経過したか否かを判定することによって、格納された前記システム情報（１６）の前記バージョンが有効か無効かを判定すること（２３０）と、
前記判定にしたがい格納された前記システム情報（１６）の前記バージョンが有効か無効かに応じて、前記システム情報（１６）を選択的に再取得すること（２４０）と、をさらに含む請求項１に記載の方法。
【請求項３】
無線通信システム（１０）での用に供されるよう構成された無線ネットワークノード（１２）によって実行される方法であって、前記方法は、
システム情報（１６）と、前記システム情報（１６）のバージョンを示す値タグ（１８）と、を送信すること（１１０）であって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、送信することを含み、
前記無線ネットワークノード（１２）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされる方法。
【請求項４】
前記異なる可能な値タグのなかから、前記システム情報（１６）がどれくらいの頻度で更新されるべきかに基づいて、前記値タグ（１８）を選択することをさらに含む請求項３に記載の方法。
【請求項５】
少なくとも二つの異なる可能な値タグは同じ可能な有効期間に関連付けられる請求項１から４のいずれか一項に記載の方法。
【請求項６】
前記システム情報（１６）は、最小システム情報またはマスタ情報ブロックである請求項１から５のいずれか一項に記載の方法。
【請求項７】
前記システム情報（１６）は、最小システム情報以外のシステム情報またはシステム情報ブロックである請求項１から６のいずれか一項に記載の方法。
【請求項８】
前記システム情報（１６）は、システム情報メッセージである請求項１から６のいずれか一項に記載の方法。
【請求項９】
無線通信システム（１０）において用いられるよう構成されたユーザ装置（１４）であって、前記ユーザ装置（１４）は、
システム情報（１６）と、前記システム情報（１６）のバージョンを示す値タグ（１８）と、を受信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、受信することを行うよう構成され、
前記ユーザ装置（１４）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされるユーザ装置（１４）。
【請求項１０】
請求項２および６から８のいずれか一項に記載の方法を実行するよう構成された請求項９に記載のユーザ装置。
【請求項１１】
無線通信システム（１０）において用いられるよう構成されたユーザ装置（１４）であって、前記ユーザ装置（１４）は、
無線回路（５２０）と、
システム情報（１６）と、前記システム情報（１６）のバージョンを示す値タグ（１８）と、を前記無線回路を介して受信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、受信することを行うよう構成された処理回路（５１０）と、を備え、
前記ユーザ装置（１４）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされるユーザ装置（１４）。
【請求項１２】
請求項２および６から８のいずれか一項に記載の方法を実行するよう構成された請求項１１に記載のユーザ装置。
【請求項１３】
無線通信システム（１０）において用いられるよう構成された無線ネットワークノード（１２）であって、前記無線ネットワークノード（１２）は、
システム情報（１６）と、前記システム情報（１６）のバージョンを示す値タグ（１８）と、を送信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、送信することを行うよう構成され、
前記無線ネットワークノード（１２）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされる無線ネットワークノード（１２）。
【請求項１４】
請求項３から８のいずれか一項に記載の方法を実行するよう構成される請求項１３に記載の無線ネットワークノード。
【請求項１５】
無線通信システム（１０）において用いられるよう構成された無線ネットワークノード（１２）であって、前記無線ネットワークノード（１２）は、
無線回路（４２０）と、
システム情報（１６）と、前記システム情報（１６）のバージョンを示す値タグ（１８）と、を前記無線回路を介して送信することであって、前記値タグ（１８）は有効期間（２０）に関連付けられ、前記システム情報（１６）の前記バージョンはその有効期間の間有効であるとみなされ、前記値タグ（１８）は複数の異なる可能な値タグのうちのひとつであり、前記異なる可能な値タグのうちの少なくとも二つはそれぞれ異なる可能な有効期間に関連付けられる、送信することを行うよう構成された処理回路（４１０）と、を備え、
前記無線ネットワークノード（１２）におけるテーブルは、異なる可能な値タグのそれぞれを、前記異なる可能な有効期間のうちのひとつにマッピングし、前記異なる可能な値タグのうちの少なくとも二つはそれぞれ異なる可能な有効期間にマッピングされる無線ネットワークノード（１２）。
【請求項１６】
請求項３から８のいずれか一項に記載の方法を実行するよう構成される請求項１５に記載の無線ネットワークノード。
【請求項１７】
インストラクションを備えるコンピュータプログラムであって、該インストラクションは無線通信システム（１０）において用いられるよう構成されたユーザ装置（１４）の少なくともひとつのプロセッサによって実行された場合、前記ユーザ装置（１４）に請求項１、２および６から８のいずれか一項に記載の方法を実行させるコンピュータプログラム。
【請求項１８】
インストラクションを備えるコンピュータプログラムであって、該インストラクションは無線通信システム（１０）において用いられるよう構成された無線ネットワークノード（１２）の少なくともひとつのプロセッサによって実行された場合、前記無線ネットワークノード（１２）に請求項３から８のいずれか一項に記載の方法を実行させるコンピュータプログラム。
【請求項１９】
請求項１７または１８に記載のコンピュータプログラムを含むキャリアであって、前記キャリアは電気信号、光学信号、無線信号、またはコンピュータ可読ストレージ媒体のうちのひとつであるキャリア。
【国際調査報告】
2020511901.tif 000023
2020511901.tif 000024
2020511901.tif 000025